(57)【要約】      （修正有）【課題】個人間の通電抵抗の相違を踏まえた上で個人の身体状態を正確に判別できる皮膚通電探索装置を提供する。【解決手段】円筒状のボディと、当該ボディの先端で円錐型の鋭角部を構成する探索部と、前記探索部に電流を供給する電気回路とを備える。前記探索部を被験者の複数の測定点に当てた際の前記電気回路の電気的特性を測定し、複数のそれぞれの測定結果を比較する。比較結果を評価し、評価結果に応じた出力を被験者に報知する。【選択図】図２
2009136646.tif 000002
【特許請求の範囲】
【請求項１】
円筒状のボディと、
当該ボディの先端で円錐型の鋭角部を構成する探索部と、
前記探索部に電流を供給する電気回路と、
前記探索部を被験者の測定点に当てた際の前記電気回路の電気的特性を測定する測定手段と、
前記測定結果を記憶する記憶手段と、
前記記憶手段に記憶された複数の測定点それぞれの測定結果を比較する比較手段と、
前記比較結果を評価する評価手段と、
前記評価結果に応じた出力を被験者に報知する報知手段と、を備えてなる皮膚通電探索装置。
【発明の詳細な説明】
【０００１】
【技術分野】
【０００２】  本発明は皮膚通電探索装置に関するものである。
【背景技術】
【０００３】  この種の皮膚通電探索装置として、例えば、実開昭５０−９９７８３号公報に記載されたものが存在する。この皮膚通電探索装置は、本体円筒部内に低電圧の直流電源を設け、電源の一方の電極を、スイッチを介して本体円筒部に接続し、他方の電極は、トランジスタを介して、本体円筒部の頭頂部にこれと絶縁して固定された円錐型の探索部に接続し、本体円筒部と探索部間に挿入される抵抗により発振周波数の変化するトランジスタ、コンデンサ及びパルストランスよりなる発振回路を収納し、且つ前記スイッチはレシーバの端子を挿脱することにより開閉されるようにしたことを特徴とするものである。【０００４】  この皮膚通電探索装置によれば、円錐型の探索部を皮膚の被測定点に当てることにより、被測定部における通電抵抗の増減に伴い信号音の間隔を変化させることができる。これにより、被験者の皮膚の加療点（つぼ）に表われる病的変化を検出することができる。
【特許文献１】実開昭５０−９９７８３号公報
【発明の開示】
【発明が解決しようとする課題】
【０００５】  人体の被測定点の通電抵抗は人によってばらつきがあり、通電抵抗が高くても健康な人もおり、反対に通電抵抗が低くても病的状態な人もいる。既述の皮膚通電探索装置が被測定点の通電抵抗に応じてパルス状の信号音を発生できるが、個人間のこのような通電抵抗の違いを判別することができない。【０００６】  そこで、本発明は、個人間の通電抵抗の相違を踏まえた上で個人の身体状態を正確に判別できる皮膚通電探索装置を提供することを目的とするものである。
【課題を解決するための手段】
【０００７】  前記目的を達成するために、本発明は、円筒状のボディと、当該ボディの先端で円錐型の鋭角部を構成する探索部と、前記探索部に電流を供給する電気回路と、前記探索部を被験者の測定点に当てた際の前記電気回路の電気的特性を測定する測定手段と、前記測定結果を記憶する記憶手段と、前記記憶手段に記憶された複数の測定点それぞれの測定結果を比較する比較手段と、前記比較結果を評価する評価手段と、前記評価結果に応じた出力を被験者に報知する報知手段と、を備えてなる皮膚通電探索装置であることを特徴とするものである。
【発明の効果】
【０００８】  本発明によれば、個人間の通電抵抗の相違を踏まえた上で個人の身体状態を正確に判別できる皮膚通電探索装置を提供することができる。
【発明を実施するための最良の形態】
【０００９】  次に本発明に係わる皮膚通電探索装置の実施形態について説明する。皮膚通電探索装置は、図１に示すように、樹脂製の円筒型ボディ１０からなり、その先端部には導電性金属からなる円錐型の探索部１２が形成されている。【００１０】  この円筒型ボディ内には、直流電源、電流計、制御装置が設けられており、これらが図２に示す電気回路を形成するようになっている。即ち、探索部が人体の被測定点に接触されるとこの部分で電気回路が繋がって、被測定点の通電抵抗に応じた電流が回路を流れる。この電流を電流計２０が計測してこれを制御装置１４に出力する。【００１１】  制御装置はマイコン２２とサウンド装置２６と発光装置２４から構成されている。マイコン２２は探索部１２を第１の被測定点に接触した時点から探索部を被接触点から離すまでの間、所定タイミング毎に電流計２０から電流測定値を受領しこれをデジタル化し平均化した後メモリ２４Ａの第１の所定領域に記憶する。【００１２】  次いで、探索部１２を第２の測定点に接触すると、同様に電流測定値を受領しこれをメモリ２４Ａの第２の領域に記憶する。【００１３】  マイコンのＣＰＵ２４Ｂは制御プログラム２４Ｃに基づいて、第１の所定領域に記憶された第１の電流値と第２の所定領域に記憶された第２の電流値との差を求め、これをメモリの比較結果記憶領域に記憶する。【００１４】  ＣＰＵはこの差を基準値と比較して評価する。例えば、電流値の差をＡ，Ｂ，Ｃの３ランクに分類する。【００１５】  Ａランクは電流値の差が小さく、Ｂランクは電流値の差が中程度で、Ｃランクは電流値の差が大きいとする。【００１６】  Ａランクは、第２の被測定点の通電抵抗が第１の被測定点とほぼ等しく第２の被測定点に表われた身体症状が非病的状態であることを示している。【００１７】  Ｂランクは、第２の被測定点の通電抵抗が第１の被測定点より低く第２の被測定点に表われた身体症状がやや病的状態であることを示している。【００１８】  Ｃランクは、第２の被測定点の通電抵抗が第１の被測定点より相当低く第２の被測定点に表われている身体症状がほぼ病的状態であることを示している。【００１９】  ここで、人体の被測定点の電気抵抗が身体や精神の症状によって変化する理由について説明する。【００２０】  身体の何処かの臓器や組織に異常があると、臓器や組織に関係する耳の特定のポイントに兆候が現れる。【００２１】  その兆候を物理量に変換することによって耳のポイントやゾーンで身体的・精神的症状の診断ができ、そこを電気パルスで刺激することによりその病気を治療することができる。【００２２】  この診断は発明者によって耳診法として開発された。この診断法は、身体に疾患やアレルギーによる各種のトラブル、精神疾患（ストレス・うつ病など）があるとき、その変化が求心性神経を通じて脳の中枢にゆき、対応する脳細胞の興奮を引き起こす。【００２３】  その興奮は自律神経路を通じて耳の皮膚上に到達し、それぞれの症状に対応した耳の特定の場所（ポイント又はゾーンと呼ぶ）の電気抵抗を低下させる、という生理的事実に基づいている。【００２４】  耳の表面のうち、自律神経路によって影響を受けない部分を第１の被測定点（基準点）として定め、電気���路に流れる電流値を基準値する。【００２５】  次に、第２の被測定点における電流値を測定し、基準値と比較することにより第２の被測定点の電気抵抗を基準点に対して相対的に評価することができる。【００２６】  したがって、個人間に通電抵抗がばらついても個人の身体症状の変化に関連した通電抵抗の異常を正しく判定することができる。【００２７】  マイコン２２は評価結果をメモリに記憶し、この評価結果を被験者に報知する。ＣＰＵは制御プログラム２４Ｃに基づいて、評価結果に対応する報知強度を求める。【００２８】  評価結果がＡランクの場合には報知強度を小とし、Ｂランクの場合には報知強度を中とし、Ｃランクの場合には報知強度が大とする。【００２９】  マイコン２２は報知強度を決定すると、報知回路（発光装置２４及び／又はサウンド装置２６）の出力を制御する。【００３０】  発光装置は例えば報知強度によって発光色を変化させる。Ａランクの場合は青のＬＥＤを点灯させ、Ｂランクの場合には黄色のＬＥＤを点灯させ、Ｃランクの場合は赤のＬＥＤを点灯させる。その他、発光強度を変えたり、発光のタイミングを変えたり、など種々の形態が考えられる。【００３１】  サウンド装置は報知強度によって音声出力を変えたり、音質を変えたり、或は断続音の間隔を変えたり、出力される楽曲を変えたりなど種々の形態を持つことが出来る。
【図面の簡単な説明】
【図１】  皮膚通電探索装置全体の外観を示す正面図である。
【図２】  皮膚通電探索装置の制御装置のブロック図である。
【符号の説明】
【００３２】  １０  円筒部
１２  探索部
１４  制御装置
【図１】
2009136646.tif 000003
【図２】
2009136646.tif 000004